(57)【要約】【課題】使用者の入浴間隔が長時間となる場合に、浴槽の浴水を保温するためのエネルギー消費量を大きくすることなく、遅い時間帯に入浴する人に対して浴槽の浴水を適温に準備することのできる給湯機を提供すること。【解決手段】ふろ自動運転の予約とは別に、遅い時間帯に入浴する人用に、追い焚き開始時刻と、追い焚き後の保温継続時間とをそれぞれ予約可能とする（Ｓ１，Ｓ２）。追い焚き開始時刻が到来した場合には、追い焚きを自動で実行するとともに、保温を開始する（Ｓ３）。保温継続時間の経過後、保温を終了する（Ｓ６）。【選択図】図３
2011191035.tif 000002
【特許請求の範囲】
【請求項１】
浴槽に給湯する給湯装置と、
前記浴槽の浴水を昇温可能な昇温手段と、
使用者の操作を受け付ける入力装置と、
前記入力装置に入力された使用者からの指令、または予め設定された第１の予約時刻に従って、前記浴槽に所定温度の浴水を用意する第１の自動運転手段と、
前記第１の自動運転手段によって前記浴槽に浴水が用意できた後、予め設定された第１の保温継続時間だけ、前記浴槽の浴水を前記昇温手段により保温する第１の保温手段と、
使用者が第２の予約時刻を設定可能とする第２の予約時刻設定手段と、
前記第２の予約時刻に従って、前記昇温手段によって前記浴槽の浴水を昇温する第２の自動運転手段と、
を備えることを特徴とする給湯機。
【請求項２】
使用者が第２の保温継続時間を設定可能とする第２の保温継続時間設定手段と、
前記第２の自動運転手段によって前記浴槽の浴水が昇温された後に、前記第２の保温継続時間だけ、前記浴槽の浴水を前記昇温手段により保温する第２の保温手段と、
を備えることを特徴とする請求項１記載の給湯機。
【請求項３】
前記第１の保温手段は、前記第１の保温継続時間の終了前に前記第２の予約時刻が到来することが予測される場合には、前記保温を実行しないことを特徴とする請求項１または２に記載の給湯機。
【請求項４】
前記昇温手段は、前記浴槽の浴水を加熱装置で加熱することによって昇温することを特徴とする請求項１乃至３の何れか１項記載の給湯機。
【請求項５】
前記昇温手段は、前記給湯装置により前記浴槽に高温の湯を追加供給することによって前記浴槽の浴水を昇温することを特徴とする請求項１乃至３の何れか１項記載の給湯機。
【発明の詳細な説明】
【技術分野】
【０００１】
本発明は、給湯機に関する。
【背景技術】
【０００２】
予め設定された温度で浴槽に自動で湯張りを行うとともに、湯張りの終了後は、予め設定された保温継続時間だけ、浴槽の湯を自動で保温する機能を備えた給湯機が広く用いられている。
【０００３】
また、下記特許文献１には、保温継続時間を使用者が任意に設定することに代えて、適正な保温継続時間を自動的に決定するようにした技術が開示されている。すなわち、同文献には、浴室に赤外線センサーなどを設けて入浴者を検知することにより、自動湯張り終了後から最終入浴者が使用するまでの時間を毎日検出し、その時間の１０日分の平均値に基づいて、適正な保温継続時間を決定するようにしている。
【先行技術文献】
【特許文献】
【０００４】
【特許文献１】特開平１１−１４１９７６号公報
【発明の概要】
【発明が解決しようとする課題】
【０００５】
しかしながら、何れにせよ、使用者の入浴間隔が長時間となる場合（例えば、一人が夕方に入浴し、もう一人が深夜に入浴するような場合）には、浴槽の湯を長時間保温することになるので、保温のためのエネルギー消費量が大きくなるという問題がある。
【０００６】
本発明は、上述のような課題を解決するためになされたもので、使用者の入浴間隔が長時間となる場合に、浴槽の浴水を保温するためのエネルギー消費量を大きくすることなく、遅い時間帯に入浴する人に対して浴槽の浴水を適温に準備することのできる給湯機を提供することを目的とする。
【課題を解決するための手段】
【０００７】
本発明に係る給湯機は、浴槽に給湯する給湯装置と、浴槽の浴水を昇温可能な昇温手段と、使用者の操作を受け付ける入力装置と、入力装置に入力された使用者からの指令、または予め設定された第１の予約時刻に従って、浴槽に所定温度の浴水を用意する第１の自動運転手段と、第１の自動運転手段によって浴槽に浴水が用意できた後、予め設定された第１の保温継続時間だけ、浴槽の浴水を昇温手段により保温する第１の保温手段と、使用者が第２の予約時刻を設定可能とする第２の予約時刻設定手段と、第２の予約時刻に従って、昇温手段によって浴槽の浴水を昇温する第２の自動運転手段と、を備えたものである。
【発明の効果】
【０００８】
本発明によれば、使用者の入浴間隔が長時間となる場合に、浴槽の浴水を保温するためのエネルギー消費量を大きくすることなく、遅い時間帯に入浴する人に対して浴槽の浴水を適温に準備することが可能となる。
【図面の簡単な説明】
【０００９】
【図１】本発明の給湯機の実施の形態１を示す構成図である。
【図２】図１に示す給湯機の制御回路構成を示すブロック図である。
【図３】本発明の実施の形態１で実行されるルーチンのフローチャートである。
【図４】本発明の実施の形態２で実行されるルーチンのフローチャートである。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の給湯機の実施の形態１を示す構成図である。図１に示す給湯機１３０は、本発明を貯湯式給湯機に適用した場合の実施の形態を示すものであり、ヒートポンプユニット１０と、タンクユニット１１０と、制御装置１２０とを備えている。以下、給湯機１３０の各構成要素について説明する。
【００１２】
ヒートポンプユニット１０は、熱源機として機能するものであり、冷媒を圧縮する圧縮機１と、沸上げ用熱交換器３と、膨張弁５と、蒸発器７と、これらを環状に接続する冷媒循環配管９とによって構成された冷凍サイクルシステムをユニットケース２内に備えている。上記冷凍サイクルシステムでは、二酸化炭素等の冷媒が圧縮機１で圧縮されて高温、高圧となった後に沸上げ用熱交換器３で放熱し、膨張弁５で減圧され、蒸発器７で吸熱してガス状態となって圧縮機１に吸入される。冷媒として二酸化炭素を用いる場合、高圧側では該二酸化炭素の臨界圧を超える条件下で運転することが好ましい。
【００１３】
一方、タンクユニット１１０は、貯湯タンク２０、給水管路３０、貯湯用循環管路４０および給湯管路５０を有している。
【００１４】
貯湯タンク２０は、給水管路３０から供給される低温水を下層に貯留すると共に、ヒートポンプユニット１０で沸き上げられた高温の湯を上層に貯留する積層式の貯湯タンクである。この貯湯タンク２０の下部には、給水管路３０が接続される水導入口２０ａと、貯湯用循環管路４０の往き管４０ａが接続される水導出口２０ｂとが設けられている。貯湯タンク２０の上部には、貯湯用循環管路４０の戻り管４０ｂが接続される温水導入口２０ｃと、給湯管路５０が接続される温水導出口２０ｄとが設けられている。貯湯タンク２０内は、下層の低温水と上層の高温湯とで常に満杯状態に保たれる。
【００１５】
給水管路３０は、市水等の低温水を貯湯タンク２０、給湯管路５０、および所定の給湯先に供給する管路であり、第１給水管部３０ａ、第２給水管部３０ｂ、給水管３０ｃおよび減圧弁（図示せず）を有している。第１給水管部３０ａは、水道等の水源（図示せず）と貯湯タンク２０の水導入口２０ａとを繋ぐ。給水管３０ｃは、第１給水管部３０ａから分岐し、この第１給水管部３０ａと後述の電動湯水混合弁４５（第１混合弁４５ａ、第２混合弁４５ｂ）とを繋ぐ。第２給水管部３０ｂは、第１給水管部３０ａから分岐し、この第１給水管部３０ａと所定の給湯先とを繋ぐ。図示の例では、給湯先の例として１つの給湯栓１６０が示されている。減圧弁は、第１給水管部３０ａでの第２給水管部３０ｂの分岐箇所よりも下流側に設けられて、水源水圧を所定値以下となるように減じる。図１においては、第１給水管部３０ａでの低温水の流れ方向を実線の矢印で示している。
【００１６】
貯湯用循環管路４０は、貯湯タンク２０の水導出口２０ｂからヒートポンプユニット１０中の沸上げ用熱交換器３を経由して貯湯タンク２０の温水導入口２０ｃに達する管路であり、貯湯用送水ポンプ３５が設けられた往き管４０ａと、戻り管４０ｂとを有している。往き管４０ａは、水導出口２０ｂと沸上げ用熱交換器３とを繋ぐ。戻り管４０ｂは、沸上げ用熱交換器３と温水導入口２０ｃとを繋ぐ。
【００１７】
給湯管路５０は、貯湯タンク２０内から取り出した高温の湯と、給水管路３０からの低温水とを第１混合弁４５ａまたは第２混合弁４５ｂで混合することによって所定温度の温湯とし、その温湯を浴槽１５０や所定の給湯先（図示の例では給湯栓１６０）に供給する管路である。給湯管路５０は、第１混合弁４５ａおよび第２混合弁４５ｂの他に、第１〜第３給湯管部５０ａ〜５０ｃを有している。第１給湯管部５０ａは、貯湯タンク２０の温水導出口２０ｄと、第１混合弁４５ａおよび第２混合弁４５ｂとを繋ぐ。第２給湯管部５０ｂは、第１混合弁４５ａと、二次側循環管路７０の戻り管７０ｂとを繋ぐ。第３給湯管部５０ｃは、第２混合弁４５ｂと、給湯栓１６０とを繋ぐ。図１においては、給湯栓１６０からの湯水の流出方向を破線の矢印で示している。
【００１８】
一次側循環管路６０は、貯湯タンク２０の温水導出口２０ｄから追焚き用熱交換器８０を経由して貯湯タンク２０の下部に達する管路であり、往き管６０ａと、一次側送水ポンプ５５が設けられた戻り管６０ｂとを有している。往き管６０ａは、貯湯タンク２０の温水導出口２０ｄと、追焚き用熱交換器８０上部の温水導入口８０ａとを繋ぐ。戻り管６０ｂは、追焚き用熱交換器８０下部の温水導出口８０ｂと、貯湯タンク２０の下部とを繋ぐ。図示の例では、第１給湯管部５０ａでの貯湯タンク２０側の所定の区間が、往き管６０ａでの貯湯タンク側の区間を兼ねている。  
【００１９】
二次側循環管路７０は、浴槽１５０から追焚き用熱交換器８０を経由して再び浴槽１５０に戻る管路であり、二次側送水ポンプ６５が設けられた往き管７０ａと、戻り管７０ｂとを有している。往き管７０ａは、浴槽１５０と、追焚き用熱交換器８０下部の浴水導入口８０ｃとを繋ぐ。戻り管７０ｂは、追焚き用熱交換器８０上部の浴水導出口８０ｄと、浴槽１５０とを繋ぐ。また、戻り管７０ｂには、循環した際の浴水１５０ａの浴水温度を検出するふろ湯温センサ１０４が取り付けられている。
【００２０】
追焚き用熱交換器８０は、一次側循環管路６０を流れる湯と、二次側循環管路７０を流れる浴水１５０ａとの間で熱交換を行って浴水１５０ａを加熱するものであり、例えば、複数の伝熱プレートが当該追焚き用熱交換器８０での高さ方向に積層されたプレート式の水−水熱交換器が好ましく用いられる。一次側循環管路６０および二次側循環管路７０の各々を接続することができるように、追焚き用熱交換器８０の上部には上述した温水導入口８０ａおよび浴水導出口８０ｄが設けられ、下部には上述した温水導出口８０ｂと浴水導入口８０ｃが設けられている。なお、本実施形態では、一次側循環管路６０、二次側循環管路７０および追焚き用熱交換器８０により、浴水１５０ａを加熱可能な加熱装置が構成される。
【００２１】
貯湯タンク２０の上部に取り付けられた給湯水温センサ１０２は、給湯管部５０ａを流れる湯の温度を検出する。給水管３０ｃに取り付けられた給水水温センサ１０１は、給水管路３０の低温水の温度を検出する。給湯管部５０ｂに取り付けられた混合水温センサ１０３は、第１混合弁４５ａで混合された混合湯の温度を検出する。
【００２２】
給湯管部５０ｂには、浴槽１５０への給湯流路を開閉するふろ電磁弁４６と、浴槽１５０への給湯流量を検出するふろ流量センサ１０５とが取り付けられている。浴槽１５０に湯を張る場合には、ふろ電磁弁４６を開き、ふろ流量センサ１０５で流量を検出することにより、浴槽１５０への給湯量を制御することができる。なお、本実施形態では、給湯管路５０により、浴槽１５０に給湯する給湯装置が構成される。
【００２３】
タンクユニット１１０を構成する上述の構成部材のうち、給水管路３０、貯湯用循環管路４０、給湯管路５０の各々は、その一部がユニットケース１１２の外部にまで延在しており、残りの構成部材は、ユニットケース１１２に納められている。
【００２４】
図２は、上記した給湯機１３０の制御回路構成を示すブロック図である。制御装置１２０は、上記のユニットケース１１２内に配置された制御装置本体１２０ａと、台所や浴室等に配置されて制御装置本体１２０ａに有線接続または無線接続されたリモコン１２０ｂとを有している。制御装置本体１２０ａは、ヒートポンプユニット１０、リモコン１２０ｂ、ふろ電磁弁４６、第１混合弁４５ａ、第２混合弁４５ｂ、一次側送水ポンプ５５、二次側送水ポンプ６５、給水水温センサ１０１、給湯水温センサ１０２、混合水温センサ１０３、ふろ湯温センサ１０４およびふろ流量センサ１０５とそれぞれ接続されている。また、制御装置本体１２０ａは、更に、浴槽１５０内の浴水１５０ａの水位を検出する図示しない水位センサと接続されており、浴水１５０ａの有無や水位を検出可能になっている。制御装置本体１２０ａは、入力装置としてのリモコン１２０ｂから使用者が入力した情報や指令、並びに各センサの信号等に基づいて、給湯機１３０の各部の動作を制御する。
【００２５】
したがって、給湯機１３０は、リモコン１２０ｂから使用者が入力した上述の情報や指令等に基づいて動作する。例えば、リモコン１２０ｂから使用者が入力した沸上げ開始時刻になると、制御装置１２０による制御の下にヒートポンプユニット１０および貯湯用送水ポンプ３５が起動されて沸上げ運転が開始される。そして、貯湯タンク２０に設けられた温度センサ（図示せず）の検出結果から所定温度の湯が貯湯タンク２０に所定量貯留されたと判断されるまで、沸上げ運転が継続される。この間、貯湯タンク２０下部の水導出口２０ｂから貯湯用循環管路４０に低温水が流入し、ヒートポンプユニット１０で湯に沸き上げられて貯湯タンク２０上部の温水導入口２０ｃから該貯湯タンク２０に戻される。
【００２６】
また、浴槽１５０に浴水１５０ａを給湯する際には、制御装置本体１２０ａは、第１混合弁４５ａの先に接続されているふろ電磁弁４６を開いた後、混合水温センサ１０３による検出温度が、使用者がリモコン１２０ｂで設定したふろ温度（以下、「設定ふろ温度」と称する）になるように、第１混合弁４５ａの開度を制御する。更に、ふろ流量センサ１０５で流量を検出し、使用者がリモコン１２０ｂで設定した所定量の湯が浴槽１５０に給湯された時点で、ふろ電磁弁４６を閉じる。
【００２７】
また、浴水１５０ａの追い焚きまたは保温をする際は、制御装置本体１２０ａは、一次側送水ポンプ５５を駆動することで、貯湯タンク２０内から取り出した高温の湯を一次側循環管路６０内に循環させ、二次側送水ポンプ６５を駆動することで、浴水１５０ａを二次側循環管路７０内に循環させ、追焚き用熱交換器８０にて両者を熱交換させる。その際に、ふろ湯温センサ１０４で浴水１５０ａの温度を検出し、その検出温度が設定ふろ温度に達した場合に、追い焚きまたは保温を完了する。
【００２８】
使用者は、リモコン１２０ｂを操作することにより、設定ふろ温度の浴水１５０ａを浴槽１５０に用意する時刻を予約することができる。リモコン１２０ｂで設定されたこの予約時刻を以下「第１の予約時刻」と称する。第１の予約時刻が設定されている場合には、制御装置本体１２０ａは、設定ふろ温度の浴水１５０ａを浴槽１５０に用意する自動運転（以下、「第１の自動運転」と称する）を、第１の予約時刻から開始するか、または第１の予約時刻までに完了するように前もって開始する。この第１の自動運転においては、浴水１５０ａが無いことが水位センサにより検出されている場合には、上述したようにして浴槽１５０に給湯し、浴槽１５０に設定ふろ温度の浴水１５０ａを張る。一方、前日の残り湯などの浴水１５０ａがあることが水位センサにより検出されている場合には、上述したようにして浴水１５０ａを追い焚きし、浴水１５０ａを設定ふろ温度まで加熱する。
【００２９】
また、使用者は、リモコン１２０ｂに設けられた所定のスイッチ（以下、「ふろ自動スイッチ」と称する）を操作することにより、第１の自動運転を任意の時刻に開始させることができる。すなわち、使用者によりふろ自動スイッチが操作された場合には、制御装置本体１２０ａは、上述した第１の自動運転を実行し、設定ふろ温度の浴水１５０ａを浴槽１５０に用意する。
【００３０】
また、使用者は、第１の自動運転で浴槽１５０に浴水１５０ａが用意された後に浴水１５０ａの保温を継続する時間（以下、「第１の保温継続時間」と称する）を、リモコン１２０ｂを操作することによって設定することができる。制御装置本体１２０ａは、第１の自動運転の後、第１の保温継続時間だけ、上述した保温動作を行って浴水１５０ａを適宜加熱することにより、浴水１５０ａの温度を設定ふろ温度に維持する。そして、第１の保温継続時間が経過した後は、保温動作を停止する。
【００３１】
従来、複数の使用者の入浴間隔が長時間となる場合（例えば、一人が夕方に入浴し、もう一人が深夜に入浴するような場合）には、第１の保温継続時間を長い時間に設定する必要があった。このため、浴水１５０ａを保温するためのエネルギー消費量（すなわち、一次側循環管路６０に循環されることによって消費される貯湯タンク２０の蓄熱量や、一次側送水ポンプ５５および二次側送水ポンプ６５を駆動するための電力量）、および長時間の保温（浴水を入浴可能な高温としておく）自体での浴水からの放熱エネルギーロスが大きくなるという問題があった。この問題を解決するため、本実施形態では、浴水１５０ａを追い焚きする時刻を使用者が予約できるようにし、その予約された時刻（以下、「追い焚き開始時刻」と称する）に従って、自動で追い焚きを行うようにした。本実施形態では、例えば、一人が夕方に入浴し、もう一人が深夜に入浴する場合には、追い焚き開始時刻を深夜の時間帯に設定するともに、第１の保温継続時間を短い時間に設定するような使い方が好ましい。このように設定すれば、夕方の第１の保温継続時間の間に一人が入浴した後は、深夜の追い焚き開始時刻になるまで、保温が停止されるので、保温のためのエネルギー消費量および長時間の保温（浴水を入浴可能な高温としておく）自体での浴水からの放熱エネルギーロスを節減することができる。また、深夜に設定された追い焚き開始時刻には自動で浴水１５０ａの追い焚きが開始されるので、深夜に入浴する人も、待たずに適温の浴水１５０ａに入ることができる。以下、図３に示すフローチャートに基づいて、詳しく説明する。
【００３２】
Ｓ１にて、使用者は、追い焚き開始時刻をリモコン１２０ｂに入力する。入力された追い焚き開始時刻は、制御装置本体１２０ａに記憶され、Ｓ２へ進む。
【００３３】
Ｓ２にて、使用者は、予約追い焚きによって浴水１５０ａを昇温した後に浴水１５０ａの保温を継続する時間（以下、「第２の保温継続時間」と称する）をリモコン１２０ｂに入力する。入力された第２の保温継続時間は、制御装置本体１２０ａに記憶され、Ｓ３へ進む。
【００３４】
Ｓ３にて、制御装置本体１２０ａは、時刻を監視し、追い焚き開始時刻になった場合、Ｓ４へ進む。そうでなければループする。
【００３５】
Ｓ４にて、制御装置本体１２０ａは、一次側送水ポンプ５５および二次側送水ポンプ６５を駆動させることで追い焚きを開始し、浴水１５０ａを設定ふろ温度まで加熱する。浴水１５０ａが設定ふろ温度まで加熱された後は、浴水１５０ａを設定ふろ温度に維持するための保温動作に移行し、Ｓ５へ進む。
【００３６】
Ｓ５にて、制御装置本体１２０ａは、追い焚き後の経過時間が第２の保温継続時間に達したかどうかを判断し、第２の保温継続時間に達した場合にはＳ６へ進む。そうでなければループする。
【００３７】
Ｓ６にて、制御装置本体１２０ａは、一次側送水ポンプ５５および二次側送水ポンプ６５を停止させ、保温動作を終了させる。
【００３８】
以上説明したように、本実施形態によれば、使用者は、第１の自動運転の予約とは別に、追い焚き開始時刻を予約することができ、その予約した追い焚き開始時刻に自動で追い焚きを実行させることができる。このため、複数の使用者の入浴間隔が長時間となる場合には、遅い時間帯に入浴する人に合わせて追い焚き開始時刻を予約することにより、遅い時間帯に入浴する人が、待たずに適温の浴水１５０ａに入ることができる。また、第１の保温継続時間の終了後、追い焚き開始時刻までの間は、浴水１５０ａの保温動作が停止されるので、保温のためのエネルギー消費量を節減することができる。
【００３９】
更に、本実施形態では、上述した予約追い焚きの後に浴水１５０ａを保温する第２の保温継続時間を使用者が予約設定することができる。このため、遅い時間帯に入浴する人の入浴時刻が不確かな場合や、遅い時間帯に複数人が入浴する場合などには、第２の保温継続時間を適当な時間に設定することにより、遅い時間帯において浴水１５０ａを必要な時間だけ保温することができるので、使い勝手が良い。
【００４０】
なお、本実施形態において、第１の自動運転を行う第１の予約時刻が設定されていない場合には、使用者がリモコン１２０ｂのふろ自動スイッチを操作することによって、第１の自動運転が開始される。従って、この場合には、使用者がふろ自動スイッチを操作した時刻に応じて、第１の保温継続時間の終了時刻も変動する。この場合も、第１の保温継続時間の終了後から追い焚き開始時刻までの間は、浴水１５０ａの保温動作が停止されるので、保温のためのエネルギー消費量を節減することができる。しかしながら、使用者がふろ自動スイッチを操作する時刻が普段の日より遅くなった場合には、第１の保温継続時間の終了前に追い焚き開始時刻が到来するようなことも起こり得る。このような場合には、第１の保温継続時間の時間帯と、第２の保温継続時間の時間帯とが一部重複するので、通常は、第１の自動運転終了後から第２の保温継続時間の終了時刻まで連続して浴水１５０ａの保温動作が実行されることになる。しかしながら、本実施形態では、上記のような場合に、第１の自動運転終了後から追い焚き開始時刻までの間は保温動作を実行せず、第２の保温継続時間の時間帯のみ保温動作を実行するようにしてもよい。使用者が普段の日より遅い時刻にふろ自動スイッチを操作したような場合には、ふろ自動スイッチを操作したその人は、浴槽１５０に浴水１５０ａが準備でき次第、すぐに入浴する可能性が高いので、浴水１５０ａを保温する必要性が低いと考えられるからである。このようにした場合には、第１の自動運転終了後から追い焚き開始時刻までの間は浴水１５０ａの保温動作が停止されるので、保温のためのエネルギー消費量を節減することができる。
【００４１】
なお、本実施形態では、追い焚き開始時刻を第２の予約時刻として使用者が設定するようにしているが、追い焚きが完了する完了時刻を第２の予約時刻として設定するようにしてもよい。この場合には、制御装置本体１２０ａは、使用者により設定された追い焚き完了時刻までに追い焚きが完了するように、前もって追い焚きを開始するようにすればよい。
【００４２】
実施の形態２．
次に、図４を参照して、本発明の実施の形態２について説明するが、上述した実施の形態１との相違点を中心に説明し、同一部分または相当部分は同一符号を付し説明を省略する。
【００４３】
実施の形態１では、使用者により設定された第２の予約時刻に従って追い焚きを行うことにより、浴水１５０ａを昇温するようにしている。これに対し、本実施形態では、追い焚きの予約に代えて、設定ふろ温度より高い温度の湯を浴槽１５０に追加供給する動作（以下、「高温さし湯」と称する）の時刻を使用者が予約できるようにし、制御装置本体１２０ａは、使用者により設定された時刻に従って高温さし湯を実行することにより、自動で浴水１５０ａを昇温する。以下、図４に示すフローチャートに基づいて説明する。
【００４４】
Ｓ７にて、使用者は、高温さし湯開始時刻（第２の予約時刻）をリモコン１２０ｂに入力する。入力された高温さし湯開始時刻は、制御装置本体１２０ａに記憶され、Ｓ２へ進む。
【００４５】
Ｓ２にて、使用者は、予約高温さし湯によって浴水１５０ａが昇温された後に浴水１５０ａの保温を継続する時間（以下、「第２の保温継続時間」と称する）をリモコン１２０ｂに入力する。入力された第２の保温継続時間は、制御装置本体１２０ａに記憶され、Ｓ３へ進む。
【００４６】
Ｓ３にて、制御装置本体１２０ａは、時刻を監視し、高温さし湯開始時刻になった場合、Ｓ８へ進む。そうでなければループする。
【００４７】
Ｓ８にて、制御装置本体１２０ａは、ふろ電磁弁４６を開くとともに、浴槽１５０に供給される湯の温度が設定ふろ温度より高温になるように第１混合弁４５ａの開度を制御することにより、高温さし湯を開始する。そして、給湯量が一定量に達した場合（もしくは、設定ふろ温度への昇温に必要な湯量が給湯された場合）には、Ｓ９へ進む。Ｓ９にて、ふろ電磁弁４６を閉じて高温さし湯を終了し、Ｓ１０へ進む。
【００４８】
Ｓ１０にて、制御装置本体１２０ａは、ふろ電磁弁４６を適宜開閉して高温さし湯を間欠的に行うことにより浴水１５０ａを保温する保温動作を開始する。保温動作を行っている間、Ｓ５にて、上記Ｓ９以降の経過時間が第２の保温継続時間に達したかどうかを判断し、第２の保温継続時間に達した場合にはＳ６へ進む。そうでなければループする。Ｓ６にて、制御装置本体１２０ａは、ふろ電磁弁４６を閉じて、保温のための高温さし湯を終了させる。
【００４９】
実施の形態２は、上述した点以外は、実施の形態１と同様であるので、説明を省略する。
【符号の説明】
【００５０】
１０          ヒートポンプユニット
２０          貯湯タンク
３０          給水管路
４５ａ        第１混合弁
４５ｂ        第２混合弁
４６          ふろ電磁弁
５０          給湯管路
６０          一次側循環管路
７０          二次側循環管路
８０          追焚き用熱交換器
１２０        制御装置
１２０ａ      制御装置本体
１２０ｂ      リモコン
１３０        給湯機
１５０        浴槽
１５０ａ      浴水
【図１】
2011191035.tif 000003
【図２】
2011191035.tif 000004
【図３】
2011191035.tif 000005
【図４】
2011191035.tif 000006